(57)【要約】      （修正有）【課題】反応速度が速くて安全性が高く、且つ超低周波電磁波の透過力が強くて、深層の地層内部の情報を探測することができる物体透視観測装置を提供する。【解決手段】物体透視観測装置は、電場検知モジュールと、信号処理モジュールと、電池モジュールと、アナログ-デジタル変換モジュールと、マンマシンインタフェース分析モジュールと、無線通信モジュールとを備え、電場検知モジュールが信号処理モジュールと電気的に接続されることで回路が形成され、電場検知モジュールは、電界強度の変化によって発生する電気信号を受信するためのコンデンサであるアンテナを備えることで観測空間を容易に変更する。【選択図】図１
0003222584.tif 000002
【実用新案登録請求の範囲】
【請求項１】
電場検知モジュールと、信号処理モジュールと、電池モジュールと、アナログ-デジタル変換モジュールと、マンマシンインタフェース分析モジュールと、無線通信モジュールとを備え、
当該電場検知モジュールが当該信号処理モジュールと電気的に接続されることで回路が形成され、当該電場検知モジュールは、電界強度の変化によって発生する電気信号を受信するためのコンデンサであるアンテナを備えることで観測空間を変更することが容易になることを特徴とする物体透視観測装置。
【請求項２】
前記信号処理モジュールは、増幅回路と、濾波器とを備え、当該増幅回路が前記電場検知モジュール及び前記電池モジュールと別々に電気的に接続されることで回路が形成され、当該濾波器が当該増幅回路と電気的に接続され、且つ前記電池モジュール、前記アナログ-デジタル変換モジュール及び前記無線通信モジュールと別々に電気的に接続されることで回路が形成されることを特徴とする請求項1に記載の物体透視観測装置。
【請求項３】
前記電池モジュールは組電池と、USB充電器と、電源制御部とを備え、当該組電池が当該USB充電器及び当該電源制御部と別々に電気的に接続されることで回路が形成され、当該電源制御部が前記電場検知モジュール及び前記信号処理モジュールと別々に電気的に接続されることで回路が形成され、
物体透視観測装置はさらにケースを備え、当該電池モジュールが当該ケース内に設けられ、当該USB充電器が当該ケースの一側面に設けられることを特徴とする請求項2に記載の物体透視観測装置。
【請求項４】
請求項1に記載の物体透視観測装置の構成モジュールを備え、
マンマシンインタフェース分析モジュールに、インタラクティブビデオ/オーディオ装置、物質状態表示及び物質深度表示が設けられ、
当該マンマシンインタフェース分析モジュールが、当該インタラクティブビデオ/オーディオ装置、当該物質状態表示、当該物質深度表示のうちの少なくとも一つと選択的に接続され、且つ人体が接近する場合に当該物質深度表示が自動的に起動する機能が設定されることが可能になり、
無線通信モジュールが、遠隔操作或いは他の操作方法で運用されることを特徴とする物体透視観測装置。
【考案の詳細な説明】
【技術分野】
【０００１】
本考案は、物体透視観測装置に関し、特に、使用者が探測するつもりの物体を照準し、超低周波電磁波で物体を照射し、反射された超低周波電波で関連する情報を使用者に伝送し、物体の内部の各層の電気的性質によって物体内部の形、形体、温度、物質、含水率、硬さ、厚さなどの性質を推測することが可能になる。
【０００２】
故に、本考案は、地層内部、建物内部などの関連する物質の性質、地下水層の分布状態と深度、及び地下物質の物理的性質を有効に透視することが可能であることで、容易に探測して分析する目的が達成できる。
【背景技術】
【０００３】
現在の地下或いは建物内部の探測装置について、よく使われた普通の電磁波或いは超音波探知機は、透視の能力が不足で、誤判別がある。従って、建物及び地下の状態を探知できなく、多くの人の安全への脅威になって、重大な経済的な損失になる。
【０００４】
そして、人類は物体及び地下を透視する能力で、豊富な地下資源を探察する需要があり、しかし現在の製品は、本考案の新たな装置に有する安い価格、便利性及び素早さなどの機能を備えない。
【０００５】
現在の地下透視用システムの中に、電力及び制御電路を採用するのは、コストが高く、重量が重くて、探測効率も良くなく、使用者にとって便利性が低い。
【０００６】
現在の透視用システムの中に、地下資源の探測について、映像処理を採用するシステムがあるが、該システムの制御及び反応スピードが遅い、一部の製品が電磁波を生成し、使用者の安全及び健康を損なう。そして、より大きい外部電池或いは電源を使用する必要があり、且つ容易に外部環境の電磁波に影響されるので、使用者の安全性、便利性及び正確性が低い。
【考案の概要】
【考案が解決しようとする課題】
【０００７】
そこで、上記の問題点に対して、現在の物体透視観測システムの欠点を解決して改善することが可能になる物体透視観測装置を提供することが本考案の課題となる。
【課題を解決するための手段】
【０００８】
本考案の目的は、使用者によって設定される空間に設置され、電場検知を中心として、物体内部から反射される超低周波電波を受け取り、物体内の物体の線型式形質を反応できる物体透視観測装置を提供することである。故に、本考案は、地下水層の分布状態と深度、及び地下物質の物理的性質、例えば含水量及び物質の類別を有効に探測することが可能になる。そのメリットは、即時に探測すること、小さい体積、軽い重さ、低いコスト、高い安全性、高い応用性、耐用性、省エネルギー、容易に操作できることである。
【０００９】
前記問題点を解決でき、上記目的を達成するために、本考案の物体透視観測装置は、電場検知モジュールと、信号処理モジュールと、電池モジュールと、アナログ-デジタル変換モジュールと、マンマシンインタフェース分析モジュールと、無線通信モジュールとを備え、当該電場検知モジュールが当該信号処理モジュールと電気的に接続されることで回路が形成され、当該電場検知モジュールは、電界強度の変化によって発生する電気信号を受信するためのコンデンサであるアンテナを備えることで観測空間を変更することが容易になる。
【００１０】
前記信号処理モジュールは、増幅回路と、濾波器とを備え、当該増幅回路が前記電場検知モジュール及び前記電池モジュールと別々に電気的に接続されることで回路が形成され、当該濾波器が当該増幅回路と電気的に接続され、且つ前記電池モジュール、前記アナログ-デジタル変換モジュール及び前記無線通信モジュールと別々に電気的に接続されることで回路が形成されることが好ましい。
【００１１】
前記電池モジュールは組電池と、USB充電器と、電源制御部とを備え、当該組電池が当該USB充電器及び当該電源制御部と別々に電気的に接続されることで回路が形成され、当該電源制御部が前記電場検知モジュール及び前記信号処理モジュールと別々に電気的に接続されることで回路が形成され、物体透視観測装置はさらにケースを備え、当該電池モジュールが当該ケース内に設けられ、当該USB充電器が当該ケースの一側面に設けられることが好ましい。
【００１２】
本考案のもう一種類の物体透視観測装置は、上述した物体透視観測装置の構成モジュールを備え、マンマシンインタフェース分析モジュールに、インタラクティブビデオ/オーディオ装置、物質状態表示及び物質深度表示が設けられ、当該マンマシンインタフェース分析モジュールが、当該インタラクティブビデオ/オーディオ装置、当該物質状態表示、当該物質深度表示のうちの少なくとも一つと選択的に接続され、且つ人体が接近する場合に当該物質深度表示が自動的に起動する機能が設定されることが可能になり、無線通信モジュールが、遠隔操作或いは他の操作方法で運用される。
【考案の効果】
【００１３】
本考案は、従来の技術と比べて、次に列挙する効果がある。
【００１４】
1.本考案について、電場検知モジュールと信号処理モジュールとの配合で、電界強度が物質の組成によって変化する場合に、信号処理モジュールで対応の電気信号が生成され、即時にアナログ-デジタル変換モジュールに送付され、そしてマンマシンインタフェース分析モジュールに送付され、反応速度が速くて安全性が高く、最も重要なのは、故障しにくくて衝撃耐性がいい。且つ超低周波電磁波の透過力が強いので、深層の地層内部の情報を探測することができる。
【００１５】
2.本考案のケース内に電池モジュールが設けられることで、USB充電器で充電することが可能になり、現在の物体透視観測システムに比べ、安全性が高くなり、且つ外部電池を設置する必要がないので、運用性及び利便性が改善される。
【図面の簡単な説明】
【００１６】
【図１】：本考案のシステムの構成を示す図
【図２】：本考案のシステムの詳細を示すブロック図
【図３】：本考案の原理を示す正面図
【考案を実施するための形態】
【００１７】
以下、本考案の実施の形態について、図面を参照して詳細に説明する。
【００１８】
図1に示すように、本考案の物体透視観測装置は、電場検知モジュール2と、信号処理モジュール3と、電池モジュール4と、アナログ-デジタル変換モジュール5と、マンマシンインタフェース分析モジュール6と、無線通信モジュール7とを備え、当該電場検知モジュール2が当該信号処理モジュール3と電気的に接続されることで回路が形成され、当該電場検知モジュール2は、電界強度の変化によって発生する電気信号を受信するためのコンデンサであるアンテナを備えることで観測空間を変更することが容易になる。
【００１９】
その中に、電場検知モジュール2と一つの信号処理モジュール3との配合で、電界強度が物質の組成によって変化する場合に、信号処理モジュール3で対応の電気信号が生成され、即時にアナログ-デジタル変換モジュール5に送付され、そしてマンマシンインタフェース分析モジュール6に送付され、反応速度が速くて安全性が高い。
【００２０】
図2に示すように、前記信号処理モジュール3は、増幅回路31と、濾波器32とを備え、当該増幅回路31が前記電場検知モジュール2及び前記電池モジュール4と別々に電気的に接続されることで回路が形成され、当該濾波器32が当該増幅回路31と電気的に接続され、且つ前記電池モジュール4、前記アナログ-デジタル変換モジュール5及び前記無線通信モジュール7と別々に電気的に接続されることで回路が形成される。
【００２１】
その中に、電場検知モジュール2の構成が簡単で、コストが抑えるようになり、容易に製造するようになり、同時に故障率が最低限に抑えるようになることができる。
【００２２】
図2及び図3に示すように、前記電池モジュール4は組電池41と、USB充電器42と、電源制御部43とを備え、当該組電池41が当該USB充電器42及び当該電源制御部43と別々に電気的に接続されることで回路が形成され、当該電源制御部43が前記電場検知モジュール2及び前記信号処理モジュール3と別々に電気的に接続されることで回路が形成され、物体透視観測装置はさらにケース1を備え、当該電池モジュール4が当該ケース1内に設けられ、当該USB充電器42が当該ケース1の一側面に設けられる。
【００２３】
図3に示すように、本考案のもう一種類の物体透視観測装置は、請求項1に記載の物体透視観測装置の構成モジュールを備え、マンマシンインタフェース分析モジュール6に、インタラクティブビデオ/オーディオ装置61、物質状態表示62及び物質深度表示63が設けられ、当該マンマシンインタフェース分析モジュール6が、当該インタラクティブビデオ/オーディオ装置61、当該物質状態表示62、当該物質深度表示63のうちの少なくとも一つと選択的に接続され、且つ人体が接近する場合に当該物質深度表示63が自動的に起動する機能が設定されることが可能になり、無線通信モジュール7が、遠隔操作或いは他の操作方法で運用される。
【００２４】
その中に、電場検知モジュール2は、物体の環境中の引導電場の変化によって、対応する電気信号を生成し、電気信号が信号処理モジュールに入れることで、ノイズが除去されて増幅されて、アナログ-デジタル変換モジュール及びマンマシンインタフェース分析モジュールに送付されることで、地下或いは実体物内部の目標物を探測する効果が達成され、現在の物体透視観測システムに比べ、電気信号の影響がなくなり、使用者の安全が保障でき、且つ外部電池を設置する必要がないので、運用性及び利便性が改善され、安全性、省エネルギー性、健康及び便利性が達成される。
【産業上の利用可能性】
【００２５】
本考案の物体透視観測装置は、反応速度が速くて安全性が高く、且つ超低周波電磁波の透過力が強いので、深層の地層内部の情報を探測することができ、有用である。
【００２６】
以上の実施の形態は、本考案の構造と、特徴及び作用効果を説明するために用いられるものであり、それを以って、本考案の実用新案登録請求の範囲が制限されることは無く、本考案の思想を逸脱することなく種々の改造やそれと同じ置き換えを行っても、それはすべて本考案の範囲に含まれるものである。
【符号の説明】
【００２７】
1     ケース
2     電場検知モジュール
3     信号処理モジュール
31    増幅回路
32    濾波器
4     電池モジュール
41    組電池
42    USB充電器
43    電源制御部
5     アナログ-デジタル変換モジュール
6     マンマシンインタフェース分析モジュール
61    インタラクティブビデオ/オーディオ装置
62    物質状態表示
63    物質深度表示
7     無線通信モジュール
【図１】
0003222584.tif 000003
【図２】
0003222584.tif 000004
【図３】
0003222584.tif 000005